(57)【要約】【課題】  本考案は、郵便受箱の部品点数を抑えることができると共に組立作業を簡単に行うことができるので郵便受箱のコストを抑えることができる郵便受箱を提供する。【解決手段】  郵便受箱１０の郵便受箱本体１２の郵便受箱扉１４の上部には大型封書用投入口１６が形成され、下部には信書用投入口２０が形成されている。郵便受箱本体１２には仕切テーブル３０が収容されるようになっており、仕切テーブル３０を郵便受箱本体１２に収容すると郵便受箱本体１２の内部をテーブル板３２が大型封書収容部３６と信書収容部３８に区画している。従って、大型封書用投入口１６から大型封書を投入すると大型封書は仕切テーブル３０のテーブル板３２に載置されて大型封書収容部３６に収容され、信書用投入口２０から信書を投入すると信書は仕切テーブル３０のテーブル板３２の下方に位置して信書収容部３８に収容されるようになっている。【選択図】  図１
0003113470.tif 000002
【実用新案登録請求の範囲】
【請求項１】
郵便受箱であって、この郵便受箱の郵便受箱本体と、この郵便受箱本体に設けられた郵便受箱扉と、この郵便受箱扉に形成された大型封書用投入口と、前記郵便受箱扉に形成された信書用投入口と、前記郵便受箱本体に挿入するだけで郵便受箱本体に収容される仕切テーブルと、この仕切テーブルのテーブル板によって郵便受箱本体の内部で区画形成される大型封書収容部、信書収容部と、を有してなることを特徴とする郵便受箱。
【請求項２】
郵便受箱であって、この郵便受箱の郵便受箱本体と、この郵便受箱本体に設けられた郵便受箱扉と、この郵便受箱扉の上部に形成された大型封書用投入口と、前記郵便受箱扉の下部に形成された信書用投入口と、前記郵便受箱本体に挿入するだけで郵便受箱本体に収容される仕切テーブルと、この仕切テーブルのテーブル板を支持する支持脚と、前記テーブル板によって郵便受箱本体の内部で区画形成される大型封書収容部、信書収容部と、を有してなることを特徴とする郵便受箱。
【考案の詳細な説明】
【技術分野】
【０００１】
本考案は、郵便受箱に関し、詳しくは大型封書用投入口と信書用投入口がそれぞれ設けられている郵便受箱に関する。
【背景技術】
【０００２】
最近の郵便受箱においては大型の封書を投入する大型封書用投入口と信書用の封書を投入する信書用投入口がそれぞれ設けられたタイプの郵便受箱が提案されている。
このタイプの郵便受箱においては、郵便受箱本体の内部に仕切板を設けて郵便受箱本体内を大型封書収容部、信書収容部に区画し、大型封書用投入口から投入された大型封書と信書用投入口から投入された信書が郵便受箱本体の内部で混ざらないようにすると共に大きな開口の大型封書用投入口から手を入れて個人情報等の重要な書類が含まれている場合のある信書が抜き取られないようになっている。
しかし、従来の郵便受箱においては郵便受箱本体内に前記仕切板を設ける場合は簡単に仕切板が取れないように仕切板を取り付けているため、仕切板を取り付けるためだけの取付付属部品が複数必要になり郵便受箱の部品点数が増加するという不具合がある。
また、前記仕切板を郵便受箱本体内で取り付けるため郵便受箱の組立作業が煩雑になって手間がかかると共に郵便受箱のコストが高くなるという不具合がある。
【考案の開示】
【考案が解決しようとする課題】
【０００３】
本考案は、上記事実に鑑みなされたものであり郵便受箱の部品点数を抑えることができると共に組立作業を簡単に行うことができるので郵便受箱のコストを抑えることができる郵便受箱を提供するものである。
【課題を解決するための手段】
【０００４】
請求項１の考案は、郵便受箱であって、この郵便受箱の郵便受箱本体と、この郵便受箱本体に設けられた郵便受箱扉と、この郵便受箱扉に形成された大型封書用投入口と、前記郵便受箱扉に形成された信書用投入口と、前記郵便受箱本体に挿入するだけで郵便受箱本体に収容される仕切テーブルと、この仕切テーブルのテーブル板によって郵便受箱本体の内部で区画形成される大型封書収容部、信書収容部と、を有していることを特徴としている。
請求項２の考案は、郵便受箱であって、この郵便受箱の郵便受箱本体と、この郵便受箱本体に設けられた郵便受箱扉と、この郵便受箱扉の上部に形成された大型封書用投入口と、前記郵便受箱扉の下部に形成された信書用投入口と、前記郵便受箱本体に挿入するだけで郵便受箱本体に収容される仕切テーブルと、この仕切テーブルのテーブル板を支持する支持脚と、前記テーブル板によって郵便受箱本体の内部で区画形成される大型封書収容部、信書収容部と、を有していることを特徴としている。
【考案の効果】
【０００５】
本考案の郵便受箱は、郵便受箱本体の内部に配設される仕切テーブルは郵便受箱本体の内部に置くだけでよいので取付付属部品等が不要であるため郵便受箱の部品点数を抑えることができるという優れた効果を有する。
また、本考案の郵便受箱は郵便受箱本体に仕切テーブルを差し込むだけでよいので組立作業を極めて簡単に行うことができるという優れた効果を有する。
また、本考案の郵便受箱は仕切テーブルを簡単に郵便受箱本体から取り外すことができるので郵便受箱本体の内部を仕切らずに使用できるという優れた効果を有する。
さらに、本考案の郵便受箱は仕切テーブルを簡単に郵便受箱本体から取り外すことができるので掃除を行い易いという優れた効果を有する。
【考案を実施するための最良の形態】
【０００６】
考案を実施するために最良の形態の例として以下のような実施例を示す。
【実施例１】
【０００７】
図１及び図２には本考案の郵便受箱の一実施例が示されている。
図２に示されるように、郵便受箱１０の郵便受箱本体１２の正面側の郵便投入用側に形成された正面側開口部１３（図１参照）には郵便受箱扉１４が適宜手段で設けられている。この郵便受箱扉１４の上部には大型封書用投入口１６が形成され、この大型封書用投入口１６には大型封書投入口用扉１８が開閉自在に設けられている。
前記郵便受箱扉１４の下部には信書用投入口２０が形成され、この信書用投入口２０には信書投入口用扉２２が開閉自在に設けられている。
また、前記郵便受箱１０の郵便受箱本体１２の裏面側の裏面側開口部（図示せず）には郵便受箱取出扉（図示せず）が適宜手段で設けられている。
図１に示されるように、前記郵便受箱本体１２には仕切テーブル３０が収容されるようになっている。この仕切テーブル３０のテーブル板３２の表面には凹部３２Ａが形成されている。
前記仕切テーブル３０のテーブル板３２の四隅の下面には支持脚３４がそれぞれ形成されており、テーブル板３２が一定の高さに位置できるように支持している。このため、仕切テーブル３０を郵便受箱本体１２に収容することにより郵便受箱本体１２の内部をテーブル板３２が大型封書収容部３６と信書収容部３８に区画している。
従って、前記大型封書用投入口１６から大型封書を投入すると大型封書は前記仕切テーブル３０のテーブル板３２に載置されて大型封書収容部３６に収容される。また、前記信書用投入口２０から信書を投入すると信書は前記仕切テーブル３０のテーブル板３２の下方に位置して信書収容部３８に収容されるようになっている。
【０００８】
次に、前記郵便受箱１０の作用について説明する。
この郵便受箱１０に仕切テーブル３０を収容する場合は郵便受箱扉１４を開いて正面側開口部１３から仕切テーブル３０を郵便受箱本体１２に差し込むように挿入して収容する。これにより、前記郵便受箱本体１２の内部は仕切テーブル３０によって大型封書収容部３６と信書収容部３８に区画される。
従って、単体の前記仕切テーブル３０を正面側開口部１３から郵便受箱本体１２に単に入れるだけの極めて簡単な作業だけで郵便受箱本体１２の内部を大型封書収容部３６と信書収容部３８に区画形成することができる。
この結果、従来のように仕切板を取り付けた郵便受箱に比べて本考案の郵便受箱１０の組立作業が簡単であると共に仕切板を設けるための取付付属部品が不要になる部品点数を抑えることができ、郵便受箱１０のコストを抑えることができる。
また、前記郵便受箱１０においては郵便受箱本体１２の内部に仕切テーブル３０が配設されている大型封書は大型封書収容部３６に収容され、信書は信書収容部３８に収容されるため、郵便受箱本体１２内で大型封書と信書とが混ざってしまうことを確実に防止できる。
さらに、前記郵便受箱本体１２の内部に仕切テーブル３０を配設しているので開口部の大きい大型封書収容部３６から手を差し込んで信書収容部３８に収容されている信書を取り出そうとしても仕切テーブル３０で防止することができる。
なお、前記仕切テーブル３０は郵便受箱本体１２に単に置かれた状態で配設されているので、郵便受箱本体１２内を仕切らないで使用したい場合等は使用者が仕切テーブル３０を摘んで引き出すだけで郵便受箱本体１２内を仕切らないで使用することができる。
また、前記郵便受箱本体１２から仕切テーブル３０を簡単に取り出すことができるので郵便受箱本体１２の掃除を行い易いので郵便受箱１０を清潔に保つことができる。
【０００９】
なお、郵便受箱本体１２が横方向に大きくて奥行寸法が小さいタイプの郵便受箱１０の場合は前記仕切テーブル３０を横向き状態で収容すれば横方向に大きな郵便受箱本体１２であっても内部を仕切テーブル３０で大型封書収容部３６と信書収容部３８に区画することができる等、郵便受箱の大きさのタイプに応じて使い分けすることができる。
【００１０】
なお、実施例では単体の前記仕切テーブル３０を正面側開口部１３から仕切テーブル３０を入れたり出したりする場合を例にして説明したが仕切テーブル３０は裏面側開口部から入れたり出したりしてもよいことは勿論である。
【図面の簡単な説明】
【００１１】
【図１】実施例の郵便受箱の郵便受箱本体に仕切テーブルを収容する斜視図である。
【図２】実施例の郵便受箱の正面図である。
【符号の説明】
【００１２】
１０    郵便受箱
１２    郵便受箱本体
１４    郵便受箱扉
１６    大型封書用投入口
１８    大型封書投入口用扉
２０    信書用投入口
２２    信書用投入口
３０    仕切テーブル
３２    テーブル板
３２Ａ  凹部
３４    支持脚
３６    大型封書収容部
３８    信書収容部
【図１】
0003113470.tif 000003
【図２】
0003113470.tif 000004